(57)【要約】【課題】クレジット決済などの信用取り引きによる決済の内訳が、代金の支払い時点で把握できるようにする。【解決手段】決済サーバ１２０は、購入情報として代金情報に加えて商品の情報も受け付け、通知情報生成部１２１は、受け付けた購入情報の中より代金情報や商品情報を取り出し、取り出した情報をもとに、購入者通知情報を生成する。生成した購入者通知情報は、情報通知部１２２により利用者端末装置１３０に送出される。【選択図】  図１
2005032132.tif 000002
【特許請求の範囲】
【請求項１】
購入者が商品を購入したときに、所定のネットワークを介して前記購入者の予審確認を行い、購入した前記商品の代金を購入者に代わって支払う電子決済方法において、
前記所定のネットワークを介し、前記購入者を特定するための購入者情報と、前記商品の販売が行われた店舗を特定するための店舗情報と、前記商品の購入に伴って発生する前記購入者が支払う金額を示す代金情報と、前記商品の情報とを含む購入情報を受け付け、
受け付けた購入情報の中より前記商品の情報を抽出し、これを前記購入者情報に関連付けて購入情報として記録する
ことを特徴とする電子決済方法。
【請求項２】
請求項１記載の電子決済方法において、
記録された前記購入情報を、所定のネットワークを介して前記購入者が利用する端末装置に対して送出する
ことを特徴とする電子決済方法。
【請求項３】
購入者が商品を購入したときに、所定のネットワークを介して前記購入者の予審確認を行い、購入した前記商品の代金を購入者に代わって支払う電子決済システムにおいて、
前記購入者を特定するための購入者情報と、前記商品の販売に伴って発生する前記購入者が支払う金額を示す代金情報と、前記商品の情報とを含む購入情報が入力され、入力された購入情報を前記所定のネットワークを介して送出する決済用端末装置と、
この決済用端末装置より送出された前記購入情報を受け付け、受け付けた購入情報の中より前記商品の情報を抽出し、これを前記購入者情報に関連付けて購入情報として記録する決済サーバと、
この決済サーバに対して前記購入情報の少なくとも一部の送出を要求する利用者端末装置と
から構成され、
前記決済サーバは、前記利用者端末からの送出要求により、記録してある前記購入情報を前記利用者端末装置に送出する
ことを特徴とする電子決済システム。
【請求項４】
請求項３記載の電子決済システムにおいて、
前記利用者端末装置は、表示部を備え、前記購入者情報を受け付けて、前記表示部に表示する
ことを特徴とする電子決済システム。
【発明の詳細な説明】
【技術分野】
【０００１】
本発明は、商品取り引き時に発生する代金の振り替えをネットワーク経由で行う電子決済方法及びシステムに関する。
【背景技術】
【０００２】
現在、購入した商品やサービスなどの代金の支払いには、クレジットカードを用いたクレジット決済が広く利用されている。また、クレジット決済は、インターネットなどにおける電子店舗でのネットワーク取り引きにおいても、広く用いられている。
クレジット決済では、例えば、店舗に配設された端末を利用し、決済を代行する金融機関に対し、予審確認を行った後で、購入によって発生した金額の情報を送出するようにしている。
【０００３】
一方、スーパーマーケットその他の流通業界で用いられているＰＯＳ（Point Of Sales) 端末装置を利用し、顧客に対して家計簿処理などに利用できる取り引きデータを提供する技術が提案されている（特許文献１）。
なお、出願人は、本明細書に記載した先行技術文献情報で特定される先行技術文献以外には、本発明に関連する先行技術文献を出願時までに発見するには至らなかった。
【特許文献１】特開平８−２７９０７９号公報
【発明の開示】
【発明が解決しようとする課題】
【０００４】
しかしながら、従来の技術では、クレジット決済により行われた代金が決済を代行する金融機関より請求されるときに、利用者に対し、支払われた金額の情報は通知されるが、支払われた金額の内訳については、何ら通知されない。このため、上述したようにＰＯＳ端末装置を利用した取り引きデータを所有していても、クレジット決済の後で請求される金額の内訳を把握するのが容易ではなかった。
本発明は、以上のような問題点を解消するためになされたものであり、クレジット決済などの信用取り引きによる決済の内訳が、代金の支払い時点で把握できるようにすることを目的とする。
【課題を解決するための手段】
【０００５】
本発明に係る電子決済方法は、購入者が商品を購入したときに、所定のネットワークを介して購入者の予審確認を行い、購入した商品の代金を購入者に代わって支払う電子決済方法において、所定のネットワークを介し、購入者を特定するための購入者情報と、商品の販売が行われた店舗を特定するための店舗情報と、商品の購入に伴って発生する購入者が支払う金額を示す代金情報と、商品の情報とを含む購入情報を受け付け、受け付けた購入情報の中より商品の情報を抽出し、これを購入者情報に関連付けて購入情報として記録するようにしたものである。この方法によれば、購入された商品の情報が、代金の情報とともに送出可能な状態となる。従って、記録された購入情報を、所定のネットワークを介して購入者が利用する端末装置に対して送出するようにしてもよい。
【０００６】
本発明に係る電子決済システムは、購入者が商品を購入したときに、所定のネットワークを介して購入者の予審確認を行い、購入した商品の代金を購入者に代わって支払う電子決済システムにおいて、購入者を特定するための購入者情報と、商品の販売に伴って発生する購入者が支払う金額を示す代金情報と、商品の情報とを含む購入情報が入力され、入力された購入情報を所定のネットワークを介して送出する決済用端末装置と、この決済用端末装置より送出された購入情報を受け付け、受け付けた購入情報の中より商品の情報を抽出し、これを購入者情報に関連付けて購入情報として記録する決済サーバと、この決済サーバに対して購入情報の少なくとも一部の送出を要求する利用者端末装置とから構成され、決済サーバは、利用者端末からの送出要求により、記録してある購入情報を利用者端末装置に送出するようにしたものである。
上記電子決済システムにおいて、利用者端末装置は、表示部を備え、購入者情報を受け付けて表示部に表示するようにすることが可能となる。
【発明の効果】
【０００７】
本発明によれば、代金情報に加え、商品の情報も受け付けるようにしたので、購入された商品の情報が、代金の情報とともに送出可能な状態となり、記録された購入情報を、所定のネットワークを介して購入者が利用する端末装置に対して送出することが可能となる。この結果、本発明によれば、クレジット決済などの信用取り引きによる決済の内訳が、代金の支払い時点で把握できるようになるという優れた効果が得られる。
【発明を実施するための最良の形態】
【０００８】
以下、本発明の実施の形態について、図を用いて説明する。図１は、本発明の電子決済方法が適用される電子決済システムの、概略的な構成例を示す構成図である。本システムは、例えば店舗などに配置された決済用端末装置１００と、決済用端末装置１００に所定のネットワークを介して接続する決済サーバ１２０及び利用者端末装置１３０とを備えたものである。決済サーバ１２０は、決済を代行する金融機関（クレジット会社）に配置され、利用者端末装置１３０は、利用者の自宅に配置されるものである。
【０００９】
決済用端末装置１００は、例えばＰＯＳ（Point Of Sales) 端末装置の機能を備え、販売された商品に設けられているバーコードなどの商品情報を読み取る商品情報入力部１０１と、商品の購入者が使用しているクレジットカードの情報を入力する購入者情報入力部１０２と、購入された商品の代金情報や商品を分類する商品情報などを含む購入情報を生成する情報生成部１０３と、情報生成部１０３が生成した購入情報を決済サーバ１２０に対して送出する情報送出部１０４と、送受信部１０５とを備えている。
【００１０】
決済サーバ１２０は、決済用端末装置１００より送出された購入情報を受け付け、受け付けた購入情報の中より代金情報や商品情報を取り出し、取り出した情報をもとに、購入者通知情報を生成する通知情報生成部１２１と、通知情報生成部１２１が生成した購入者通知情報を購入者が利用している利用者端末装置１３０に通知する情報通知部１２２と、情報格納部１２３と、送受信部１２４とを備えている。生成された購入者情報は、情報格納部１２３に格納され、利用者端末装置１３０からの要求により、情報通知部１２２は、対応する購入者通知情報を、情報格納部１２３より取り出して通知する。
【００１１】
また、利用者端末装置１３０は、表示部１３１と、受け付けた購入者通知情報より、支払われた金額とこの金額の内訳と含む支払い状態など整理した支払い情報を生成する情報整理部１３２と、情報整理部１３２が生成した表示情報を表示部１３１に表示する制御部１３３と、送受信部１３４とを備えている。利用者端末装置１３０は、例えばパーソナルコンピュータであり、ＣＰＵと主記憶装置と外部記憶装置などを備え、外部記憶装置に格納されているプログラムを主記憶装置に展開し、主記憶装置に展開されたプログラムによりＣＰＵが動作することで、上述した機能が実現される。
【００１２】
以下、本システムの動作について説明する。例えば、利用者端末装置１３０の利用者が、決済用端末装置１００が設置してある店舗で、食品である商品０１と衣類である商品０２と薬である商品０３とを、クレジット決済により購入した場合について説明する。
まず、利用者が、店舗において商品０１，商品０２，商品０３を選択し、これらの購入希望を店舗の店員に伝える。店員は、各商品を確認し、例えば、各商品に持着されている商品タグに記載されているバーコードを、商品情報入力部１０１により読み取る。
【００１３】
次いで、利用者が、上記商品の代金をクレジット決済で行う旨を、店舗の店員に伝えるとともに、店員にクレジットカードを提供する。このクレジットカードを受け取った店員は、決済用端末装置１００の購入者情報入力部１０２により、クレジットカードに記録されている情報を読み取り、決済サーバ１２０に送出して予審を行う。なお、これらは、クレジット決済に限るものではなく、デビットカードや電子マネーを用いるものなどの他の決済方法であってもよい。
【００１４】
予審確認が終了すると、これを確認した店員は、決済用端末装置１００を操作し、クレジット決済を行う。このとき、決済用端末装置１００では、情報生成部１０３が、商品情報入力部１０１によって入力された購入対象の商品情報と、購入者情報入力部１０２によって入力された利用者（購入者）を特定する情報（購入者ＩＤ）と、店舗の情報（販売店ＩＤ）とを含む購入情報を生成する。商品情報入力部１０１が読み取ったバーコードの情報には、食品，衣類，薬品などの商品を分類する情報が含まれる。この分類の情報も、情報生成部１０３が生成した購入情報には含まれる。
【００１５】
情報生成部１０３が、上記購入情報を生成すると、情報送出部１０４が、生成された購入情報を決済サーバ１２０に対して送出する。情報送出部１０４が送出した購入情報は、送受信部１０５によりネットワークに送出され、決済サーバ１２０の送受信部１２４に受け付けられる。決済サーバ１２０の送受信部１２４に上記購入情報が受け付けられると、通知情報生成部１２１は、まず、受け付けた購入情報の中より、購入者特定ＩＤや販売店ＩＤとともに、商品情報を取り出す。次いで、通知情報生成部１２１は、取り出した情報をもとに購入者通知情報を生成し、これを決済が行われた期日の情報ともに情報格納部１２３に格納する。
【００１６】
購入者通知情報は、例えば、図２に示すように、購入された商品毎に、通信電文の形態で格納される。また、購入者通知情報は、図３に示すように、購入された複数の商品が一覧で示される通信電文の形態で格納される。
なお、前述したように、予審が成立してクレジット決済が行われると、決済サーバ１２０により、図示しない所定の金融機関（銀行）に開設されている販売店の口座に対し、購入された承認の販売価格に対応する金額が振り替えられる。この振り替えられた金額が、購入者（利用者）に請求される。
【００１７】
例えば、利用者においては、上記商品をクレジット決済で購入した後、決済の完了を認知すると、利用者端末装置１３０を操作し、情報の送出要求を決済サーバ１２０に送出する。情報の送出要求は、購入者特定ＩＤとともに、送受信部１３４を介してネットワークに送出される。利用者端末装置１３０より送出された購入者通知情報の送出要求は、決済サーバ１２０において、送受信部１２４を介して情報通知部１２２に受け付けられる。この送出要求を受け付けた情報通知部１２２は、同時に受け付けた購入者特定ＩＤをキーにして情報格納部１２３を検索し、対応する購入者通知情報を取り出し、利用者端末装置１３０に対して送出する。
【００１８】
決済サーバ１２０より送出された購入者通知情報は、利用者端末装置１３０において送受信部１３４を介して情報整理部１３２に受け付けられる。購入者通知情報を受け付けた情報整理部１３２は、受け付けた購入者通知情報より、支払われた金額と、支払金額の内訳とを含む支払い情報を生成する。情報整理部１３２は、図２，図３などに示す通信電文を、購入者通知状法として受け取る。
【００１９】
このような通信電文を受け取った情報整理部１３２は、通信電文より所定の情報を抽出し、支出の状態を示す家計情報を生成する。情報整理部１３２は、所定期間に受け取った通信電文より、項目として購入物品とこの価格と販売店ＩＤとを含む複数のレコードを家計情報として生成する。また、情報整理部１３２は、例えば、生成した複数のレコードを同一の分類毎に整理し、一定期間に購入した同一の分類の商品の合計購入金額を、分類毎に算出する。これらの、情報整理部１３２が生成した情報は、制御部１３３により表示部に表示される。
【図面の簡単な説明】
【００２０】
【図１】本発明の実施の形態における電子決済システムの構成例を示す構成図である。
【図２】購入者通知情報の一例を示す説明図である。
【図３】購入者通知情報の一例を示す説明図である。
【符号の説明】
【００２１】
１００…決済用端末装置、１０１…商品情報入力部、１０２…購入者情報入力部、１０３…情報生成部、１０４…情報送出部、１０５…送受信部、１２０…決済サーバ、１２１…通知情報生成部、１２２…情報通知部、１２３…情報格納部、１２４…送受信部、１３０…利用者端末装置、１３１…表示部、１３２…情報整理部、１３３…制御部、１３４…送受信部。
【図１】
2005032132.tif 000003
【図２】
2005032132.tif 000004
【図３】
2005032132.tif 000005